(57)【要約】【課題】狭額縁化してもＬＣＤパネルが液状化することを防止し画面が劣化することを防止する。【解決手段】リヤシールド１１と、リヤシールド１１の前側でリヤシールド１１に設けられた導光板９と、リヤシールド１１に設けられ導光板９の側面に投光する光源ユニット１５と、リヤシールド１１に設置され導光板９を支持しているパネルシャーシ１７と、パネルシャーシ１７に設けられ、光源ユニット１５が発する熱がパネルシャーシ１７の前側に出てくることを抑制する伝熱抑制部とを有する照明装置３である。【選択図】図４
2012138291.tif 000002
【特許請求の範囲】
【請求項１】
リヤシールドと、
前記リヤシールドの前側で前記リヤシールドに設けられた導光板と、
前記リヤシールドに設けられ、前記導光板の側面に投光する光源ユニットと、
前記リヤシールドに設置され、前記導光板を支持しているパネルシャーシと、
前記パネルシャーシに設けられ、前記光源ユニットが発する熱が前記パネルシャーシの前側に出てくることを抑制する伝熱抑制部と、
を有することを特徴とする照明装置。
【請求項２】
リヤシールドと、
前記リヤシールドの前側で前記リヤシールドに設けられた導光板と、
前記導光板の周辺部で前記リヤシールドに設けられ、前記導光板に投光する光源ユニットと、
基端部側の部位が前記リヤシールドの周辺部で前記リヤシールドに設置され、中間の部位が前記光源ユニットを前側から覆っており、先端部側の部位が前記導光板の前面に係合して前記導光板を支持しているパネルシャーシと、
前記パネルシャーシの中間部位で、前記パネルシャーシの後側に形成されている凹部と、
前記パネルシャーシの中間部位で前記パネルシャーシの後側に設けられ、前記凹部を覆っているパネルシャーシ側反射シートと、
を有することを特徴とする照明装置。
【請求項３】
請求項１または請求項２に記載の照明装置において、
前記リヤシールドは、底板部と側部とを備えて構成されており、
前記光源ユニットは、前記側部に設けられており、
前記側部と前記底板部の少なくとも一部とが一体成型されていることを特徴とする照明装置。
【請求項４】
請求項１〜請求項３のいずれか１項に記載の照明装置において、
前記光源ユニットの近傍で前記リヤシールドに放熱フィンが設けられていることを特徴とする照明装置。
【請求項５】
請求項１〜請求項４のいずれか１項に記載の照明装置と、
前記導光板の前側に設けられたＬＣＤパネルと、
を有することを特徴とする画像表示装置。
【発明の詳細な説明】
【技術分野】
【０００１】
本発明は、照明装置および画像表示装置に係り、特に、エッジライト型の照明装置の光源が発する熱をリヤシールド側に流すものに関する。
【背景技術】
【０００２】
近年、液晶パネルなどの表示モジュールを用いて画像を表示する画像表示装置、（例えば、ディスプレイ装置やテレビジョン装置等）が、急速に普及してきた。
【０００３】
表示モジュールに液晶パネル（ＬＣＤパネル）を用いた場合はバックライトが必要となる。そのバックライトの光源として、例えば、冷陰極線管（ＣＣＦＬ）や外部電極蛍光管（ＥＥＦＬ）などの線状光源が使用される場合と、ＬＥＤ（発光ダイオード）を用いたＬＥＤ光源が使用される場合がある。
【０００４】
ＬＥＤ光源を使用する場合、液晶パネルの裏側に光の拡散板を設けて、その背面にＬＥＤ光源を設置する直下型と、液晶パネルの裏側に導光板を設けて、その外周にＬＥＤ光源を設置するエッジライト型とに分かれるが、薄型を目指すには後者の構造が一般的に採用される。
【０００５】
エッジライト型の構造を採用し、表示モジュールとしてＬＣＤパネルを採用した従来の画像表示装置は、図１６で示すように、枡状のリヤシールド２０１の周辺部にサーマルインタフェースシート２０３介してヒートシンク２０５を設け、このヒートシンク２０５にサーマルインタフェースシート２０７介して光源ユニット２０９を設け、この光源ユニット２０９から発した光を導光板２１１の側面に投光している。なお、導光板２１１は、リヤシールド２０１に設置されており、パネルシャーシ２１３でリヤシールド２０１に保持されている。また、図１６の参照符号２０４は、反射シートを示している。
【０００６】
従来の画像表示装置では、ＬＣＤパネル２１５は、導光板２１１とほぼ等しい大きさに形成されている。また、ＬＣＤパネル２１５には、画像表示部位２１７と周辺部位２１９とが存在している。画像表示部位２１７と周辺部位２１９との境界は、有効画素境界２２１になっている。
【０００７】
そして、有効画素境界２２１から光源ユニット２０９のＬＥＤ素子２２３までの距離Ｌと、有効画素境界２２１からＬＣＤパネル２１５の端部までの距離Ｘとを比較すると、ＬＥＤ素子２２３までの距離Ｌのほうが、ＬＣＤパネル端部までの距離Ｘよりも大きくなっている。
【０００８】
したがって、従来の画像表示装置を前から見ると、導光板２１１とＬＣＤパネル２１５とがお互いにほぼ重なっており、光源ユニット２０９とＬＥＤ素子２２３とは、ＬＣＤパネル２１５の外周からの外側に離れて存在している。ＬＣＤパネル２１５は、フロントベゼル２２５によってリヤシールド２０１に保持されている。
【０００９】
ここで、上記従来の技術に関する文献として、たとえば、特許文献１〜特許文献３を掲げることができる。
【先行技術文献】
【特許文献】
【００１０】
【特許文献１】特開平１０−０９６９２０号公報
【特許文献２】特許第４１５３７７６号公報
【特許文献３】特許第３９６１６４２公報
【発明の概要】
【発明が解決しようとする課題】
【００１１】
ところで、画像表示装置は、画像の表示面積を変えることなく装置の小型化をするために、狭額縁化が求められる（図１６で示す有効画素境界２２１からフロントベゼル２２５端部までの距離Ｙを小さくする）傾向にある。
【００１２】
狭額縁化をするために、図１７で示すように、有効画素境界２２１からＬＥＤ素子２２３までの距離Ｌを、有効画素境界２２１からＬＣＤパネル２１５の端部までの距離Ｘよりも小さくする方式が考えられる。
【００１３】
しかし、有効画素境界２２１からＬＥＤ素子２２３までの距離Ｌを、有効画素境界２２１からＬＣＤパネル２１５の端部までの距離Ｘよりも小さくすると、ＬＣＤパネル２１５とＬＥＤ素子２２３とが接近し、図中の画面側から見た場合、ＬＥＤ素子２２３がＬＣＤパネル２１５で覆われてしまい、熱源（ＬＥＤ素子２２３）がＬＣＤパネル２１５の直下に位置してしまう。
【００１４】
そして、ＬＥＤ素子２２３が発する熱の一部が、フロントベゼル２２５や、パネルシャーシ２１３等を伝わって前方に流れてＬＣＤパネル２１５に到達し、この到達した熱によって、ＬＣＤパネル２１５が高温になり液晶セルが液状化し画面が劣化するという問題がある。
【００１５】
本発明は、上記問題点に鑑みてなされたものであり、狭額縁化してもＬＣＤパネルが液状化することを防止し画面が劣化することを防止することができる照明装置および画像表示装置を提供することを目的とする。
【課題を解決するための手段】
【００１６】
第１の発明は、リヤシールド（１１）と、前記リヤシールド（１１）の前側で前記リヤシールド（１１）に設けられた導光板（９）と、前記リヤシールド（１１）に設けられ、前記導光板（９）の側面に投光する光源ユニット（１５）と、前記リヤシールド（１１）に設置され、前記導光板（９）を支持しているパネルシャーシ（１７）と、前記パネルシャーシ（１７）に設けられ、前記光源ユニット（１５）が発する熱が前記パネルシャーシ（１７）の前側に出てくることを抑制する伝熱抑制部とを有する照明装置（３）である。
【００１７】
第２の発明は、リヤシールド（１１）と、前記リヤシールド（１１）の前側で前記リヤシールド（１１）に設けられた導光板（９）と、前記導光板（９）の周辺部で前記リヤシールド（１１）に設けられ、前記導光板（９）に投光する光源ユニット（１５）と、基端部側の部位が前記リヤシールド（１１）の周辺部で前記リヤシールド（１１）に設置され、中間の部位が前記光源ユニット（１５）を前側から覆っており、先端部側の部位が前記導光板（９）の前面に係合して前記導光板（９）を支持しているパネルシャーシ（１７）と、前記パネルシャーシ（１７）の中間部位で、前記パネルシャーシ（１７）の後側に形成されている凹部（３３）と、前記パネルシャーシ（１７）の中間部位で前記パネルシャーシ（１７）の後側に設けられ、前記凹部（３３）を覆っているパネルシャーシ側反射シート（３５）とを有する照明装置（１）である。
【００１８】
第３の発明は、第１の発明または第２の発明において、前記リヤシールド（１１）は、底板部（１９）と側部（２１）とを備えて構成されており、前記光源ユニット（１５）は、前記側部（２１）に設けられており、前記側部（２１）と前記底板部（１９）の少なくとも一部とが一体成型されている照明装置（３）である。
【００１９】
第４の発明は、第１の発明〜第３の発明のいずれかにおいて、前記光源ユニット（１５）の近傍で前記リヤシールド（１１）に放熱フィン（５５）が設けられている照明装置（３）である。
【００２０】
第５の発明は、第１の発明〜第４の発明のいずれかと、前記導光板（９）の前側に設けられたＬＣＤパネル（５）とを有する画像表示装置（１）である。
【発明の効果】
【００２１】
本発明によれば、照明装置や画像表示装置において、狭額縁化してもＬＣＤパネルが液状化することを防止し画面が劣化することを防止することができるという効果を奏する。
【図面の簡単な説明】
【００２２】
【図１】画像表示装置の概略構成を示す断面図である。
【図２】図１におけるＩＩ矢視図であって画像表示装置の正面図である。
【図３】図１におけるＩＩＩ−ＩＩＩ矢視図である。
【図４】図１におけるＩＶ部の拡大図である。
【図５】図４におけるＶ矢視図である。
【図６】図４におけるＶＩ−ＶＩ矢視図である。
【図７】図４におけるＶＩＩ−ＶＩＩ矢視図である。
【図８】画像表示装置の概要を示す分解斜視図である。
【図９】パネルシャーシの概略構成を示す斜視図である。
【図１０】変形例に係るパネルシャーシの概略構成を示す斜視図である。
【図１１】別の変形例に係るパネルシャーシの概略構成を示す斜視図である。
【図１２】フィンが設けられている画像表示装置の拡大図であり、図４に対応した図である。
【図１３】変形例に係るフィンが設けられている画像表示装置の拡大図であり、図４に対応した図である。
【図１４】変形例に係る画像表示装置の拡大図であり、図４に対応した図である。
【図１５】別の変形例に係る画像表示装置の拡大図であり、図４に対応した図である。
【図１６】従来の画像表示装置の概略構成を示す部分断面図である。
【図１７】変形例に係る従来の画像表示装置の概略構成を示す部分断面図である。
【発明を実施するための形態】
【００２３】
本発明の実施形態に係る画像表示装置（液晶表示装置）１は、図１、図４等で示すように、照明装置３とＬＣＤパネル（液晶パネル）５とを備えて構成されている。
【００２４】
以下、説明の便宜のため、画像表示装置１（照明装置３）の一方向を横方向とし、画像表示装置１の他の一方向であって横方向に直交する方向を縦方向とし、画像表示装置１のさらなる他の一方向であって横方向と縦方向とに直交する方向を前後方向とする。
【００２５】
画像表示装置１には、光学シート（図示せず）とフロントベゼル７とが設けられている。ＬＣＤパネル５は、照明装置３を構成している導光板９の前側に設けられており、上記光学シートは、たとえば、ＬＣＤパネル５と導光板９との間に設けられていて、偏光シート、プリズムシート、拡散シート等から成り、照明装置３からの光を偏光、集光、均一化するようになっている。フロントベゼル７は、照明装置３のリヤシールド１１に一体的に設けられており、ＬＣＤパネル５と上記光学シートを支持している。
【００２６】
画像表示装置１では、ＬＣＤパネル５がこの前面に映像を映し出すようになっている。照明装置３は、いわゆるエッジライト型の照明装置であり、ＬＣＤパネル５の後側（背面側）に設けられている。そして、照明装置３が後側からＬＣＤパネル５の画像表示部位１３の全面をほぼ均一に照明するようになっている。
【００２７】
照明装置３は、前述したリヤシールド１１と導光板９と光源ユニット１５とパネルシャーシ１７とを備えて構成されている。
【００２８】
リヤシールド１１は、金属等の熱伝導率の高い材料で矩形な枡状に形成されている。すなわち、リヤシールド１１は、図３等で示すように、矩形状の底板部１９とこの底板部１９の外周部（横方向の両端部と縦方向の両端部）から底板部１９の厚さ方向の一方の側に突出している「ロ」字状の側部２１とを備えて枡状に形成されている。
【００２９】
リヤシールド１１の底板部１９の厚さ方向は、画像表示装置１（照明装置３）の前後方向と一致しており、側部２１は、底板部１９の前側に位置している。リヤシールド１１の底板部１９の横方向は、画像表示装置１の横方向と一致しており、リヤシールド１１の底板部１９の縦方向は、画像表示装置１の縦方向と一致している。
【００３０】
導光板９は、可視光を透過する透明な樹脂（たとえば透明なアクリル板）等の材料で矩形な平板状に形成されている。また、導光板９は、リヤシールド１１の前側であってリヤシールド１１の内側中央部で、リヤシールド１１に一体的に設けられている。
【００３１】
さらに説明すると、図３、図４等で示すように、導光板９は、リヤシールド１１の底板部１９よりも小さい矩形な平板状に形成されており、厚さ方向がリヤシールド１１の底板部１９の厚さ方向と一致するようにして、リヤシールド１１の内側中央部に設けられている。
【００３２】
また、導光板９の横方向とリヤシールド底板部１９の横方向とはお互いに一致しており、導光板９の縦方向とリヤシールド底板部１９の縦方向とはお互いに一致している。さらに、導光板９の横方向の中心とリヤシールド１１の底板部１９の横方向の中心とはお互いに一致しており、導光板９の縦方向の中心とリヤシールド１１の底板部１９の縦方向の中心とはお互いに一致している。
【００３３】
これにより、前後方向で前から見ると、導光板９の周囲（導光板９とリヤシールド１１の側部２１との間）には、「ロ」字状の間隙２３が形成されている。すなわち、導光板９は「ロ」字状の一定の幅の間隙２３を隔てて、「ロ」字状の側部（リヤシールド１１の側部）２１で囲まれている。
【００３４】
リヤシールド側部２１の「ロ」字状の先端部（底板部１９とは反対側の端部；前側の端部）２５は平面になっており、この平面（先端面）２５と、導光板９の前面２７とは、たとえば、１つの平面上に存在している。
【００３５】
光源ユニット１５は、導光板９に投光する（導光板９に向けて光を照射する）ものであり、導光板９の周辺部でリヤシールド１１に一体的に設けられている。
【００３６】
光源ユニット１５が発し導光板９に投光された光（可視光）が、導光板９の側面（横方向や縦方向の端部に位置している面）に照射され、この照射された光が、導光板９の側面から導光板９内に入って導光板９内を通り、導光板９の前面から出射され、ＬＣＤパネル５をこの背面から照明するようになっている。
【００３７】
パネルシャーシ１７は、図２や図４等で示すように、細長い直方体状に形成されたパネルシャーシ本体部２９を組み合わせて矩形な「ロ」字状に形成されている。パネルシャーシ本体部２９は、リヤシールド１１よりも熱伝導率の低い材料である合成樹脂（たとえば、ポリカーボネート）で構成されている。そして、図４等で示すように、パネルシャーシ１７（パネルシャーシ本体部２９）の幅方向の基端部側の部位がリヤシールド１１の周辺部（側部２１の先端部２５）でリヤシールド１１に一体的に設置されている。なお、パネルシャーシ本体部２９の幅方向については後述する。
【００３８】
パネルシャーシ１７（パネルシャーシ本体部２９）の幅方向の中間の部位が光源ユニット１５を前側から覆っている。また、パネルシャーシ１７（パネルシャーシ本体部２９）の幅方向の先端部側の部位が導光板９の前面の周辺部に係合して（たとえば接触して）導光板９を支持している。すなわち、導光板９がパネルシャーシ１７と一体化するように、リヤシールド１１の底板部１９と協働してパネルシャーシ１７が導光板９を保持している。
【００３９】
また、リヤシールド１１には、図３や図４等で示すように、例えば、ポリエチレンテレフタレート（ＰＥＴ）シートの発泡材を面内に延伸した材料や、金属箔と樹脂の積層構造の材料等で構成されたリヤシールド側反射シート３１が設けられている。リヤシールド側反射シート３１は、リヤシールド１１の底板部１９とほぼ等しい大きさの矩形な板状に形成されている。リヤシールド側の反射シート３１は、この厚さ方向がリヤシールド１１の底板部１９の厚さ方向と一致するようにして、リヤシールド１１の内側でリヤシールド１１の底板部１９に一体的に設けられている。
【００４０】
リヤシールド側反射シート３１の厚さ方向の一方の面（後側の面）は、リヤシールド底板部１９の厚さ方向の一方の面（リヤシールド側部２１が起立している側の面；前側の面）に貼り付いており、リヤシールド側反射シート３１の横方向とリヤシールド底板部１９の横方向とはお互いに一致しており、リヤシールド側反射シート３１の縦方向とリヤシールド底板部１９の縦方向とはお互いに一致している。
【００４１】
これにより、前後方向で前から見ると、リヤシールド側反射シート３１とリヤシールド１１の底板部１９とはお互いがほぼ重なっており、リヤシールド１１の側部２１が反射シート３１を囲んでいる。なお、リヤシールド側反射シート３１の厚さ方向の他方の面（前側の面）は、高反射率の面になっており、光源ユニット１５が発した光を反射するようになっている。または、リヤシールド側反射シート３１の内部で光を拡散反射することで、リヤシールド側反射シート３１の前面ではなく、リヤシールド側反射シート３１の厚み方向で、全体的に光を反射する構成になっている。
【００４２】
導光板９の厚さ方向の一方の面（後側の面）は、リヤシールド底板部１９に設けられているリヤシールド側反射シート３１の厚さ方向の他方の面（前側の面）に接触している。そして、パネルシャーシ１７とリヤシールド底板部１９とが、リヤシールド側反射シート３１を介して、導光板９を挟み込み保持している。
【００４３】
パネルシャーシ１７（パネルシャーシ本体部２９）には、凹部３３が形成されている。凹部３３は、パネルシャーシ１７（パネルシャーシ本体部２９）の幅方向の中間部位で、パネルシャーシ１７（パネルシャーシ本体部２９）の後側に設けられている。
【００４４】
また、パネルシャーシ１７（パネルシャーシ本体部２９）には、パネルシャーシ側反射シート３５が一体的に設けられている。パネルシャーシ側反射シート３５は、パネルシャーシ１７（パネルシャーシ本体部２９）の幅方向の中間部位でパネルシャーシ１７（パネルシャーシ本体部２９）の後側に設けられており、凹部３３を覆っている。
【００４５】
リヤシールド１１は、前述したように底板部１９と側部２１とを備えて構成されている。そして、詳しくは後述するが、リヤシールド側部２１とリヤシールド底板部１９の少なくとも一部とが一体成型されている。光源ユニット１５は、サーマルインタフェースシート（高い熱伝導率を有する両面粘着テープ）３７を介して、リヤシールド側部２１に一体的に設けられている。
【００４６】
また、リヤシールド１１は、図１や図２等で示すように、たとえば４本の枠体３９と１つの矩形な平板状のリヤプレート４１とを備えて構成されている。枠体３９は、たとえば押し出し金型により成形されている。枠体３９の断面（押し出し方向である長手方向に対して直交する平面による断面）形状は、「Ｌ」字状になっている（図４等参照）。４本の枠体３９は、これらの長手方向の端部で適宜接続されて一体化し、「ロ」字状に形成されている。この「ロ」字状に形成された枠体３９の開口部がリヤプレート４１で塞がれていることで、リヤシールド１１が矩形な枡状になっている。
【００４７】
また、枠体３９が、リヤシールド側部２１とリヤシールド底板部１９の一部とを構成している。すなわち、図１や図４等で示すように、枠体３９の「Ｌ」字状の一方の辺部４３とリヤプレート４１とがリヤシールド１１の底板部１９を形成しており、枠体３９の「Ｌ」字状の他方の辺部４５がリヤシールド１１の側部２１を形成している。
【００４８】
枠体３９により、リヤシールド側部２１とリヤシールド底板部１９の一部とが一体成型されていることになる。なお、リヤシールド１１の全体を一体成型するように構成してもよい。つまり、リヤシールド側部２１とリヤシールド底板部１９の少なくとも一部とを一体成型することにしてもよい。
【００４９】
枠体３９の「Ｌ」字状の一方の辺部（リヤシールド底板部１９を構成している辺部）４３の厚さは、リヤプレート４１の厚さよりも厚くなっており、枠体３９の「Ｌ」字状の他方の辺部（リヤシールド側部２１を構成している辺部）４５の厚さは、枠体３９の「Ｌ」字状の一方の辺部４３の厚さよりも厚くなっている。
【００５０】
枠体３９の「Ｌ」字状の一方の辺部４３の厚さ方向とリヤプレート４１の厚さ方向と画像表示装置１の前後方向とはお互いに一致している。また、リヤシールド側部２１が「ロ」字状に形成されているので、枠体３９の「Ｌ」字状の他方の辺部４５の厚さ方向と画像表示装置１の縦方向とがお互いに一致しているか、または、枠体３９の「Ｌ」字状の他方の辺部４５の厚さ方向と画像表示装置１の横方向とがお互いに一致している。
【００５１】
さらに説明すると、図１や図２等で示すように、「ロ」字状に形成されている４本の枠体３９の開口部の内周部であって４本の枠体３９の後側には、所定の幅の「ロ」字状の凹部４７が形成されている。矩形な平板状に形成されたリヤプレート４１の「ロ」字状の外周部には、たとえばプレス加工によって段差部４９が形成されている。
【００５２】
そして、４本の枠体３９の「ロ」字状の凹部４７に、リヤプレート４１の「ロ」字状の段差部４９が係合することで、「ロ」字状の４本の枠体３９にリヤプレート４１が一体的に設けられている。リヤプレート４１の厚さ方向の一方の面（前側の面）と、リヤシールド底板部１９の一部を構成している枠体３９の部位（一方の辺部）４３の前面とは、１つに平面状に位置している。また、リヤプレート４１の厚さ方向の他方の面（後側の面）が、リヤシールド底板部１９の一部を構成している枠体３９の部位（一方の辺部）４３の後面よりも前側に凹んでいる。
【００５３】
さらに、リヤシールド１１には、金属もしくは合成樹脂等の材料で構成された矩形な枡状のリヤカバー５１が設けられている。リヤカバー５１は、金属の場合、プレス金型により成形されており、合成樹脂の場合には、射出金型により成形されている。リヤカバー５１は、リヤシールド１１の後側でリヤプレート４１を覆うように設けられている。
【００５４】
リヤカバー５１が設けられていることで、リヤシールド１１の後側には、ほぼ閉じた空間５３が形成されており、この空間５３内に、ＬＣＤ駆動回路等の電装品（図示せず）が設置されている。
【００５５】
ところで、図１２や図１３で示すように、リヤシールド１１に放熱フィン５５が設けられていてもよい。放熱フィン５５は、光源ユニット１５の近傍に設けられている。
【００５６】
放熱フィン５５は、枠体３９に一体で成型されている。たとえば、放熱フィン５５は、押し出し金型により枠体３９を成形するときに同時に成形される。この場合、放熱フィン５５は、図１２や図１３の紙面に直交する方向（枠体３９の長手方向）に延びて設けられている。
【００５７】
放熱フィン５５の設置形態については、様々な態様のものが考えられるが、例として、図１２や図１３で示すものを説明する。
【００５８】
図１２で示す放熱フィン５５は、断面形状が長方形状である複数の放熱フィン構成部（凸部）５７で構成されている。各放熱フィン構成部５７（５７Ａ〜５７Ｇ）は、枠体３９の後面から後側に突出している。各放熱フィン構成部５７は、図１２の横方向で一定のピッチＰでお互いが離れて設けられている。
【００５９】
また、各放熱フィン構成部５７の幅（図１２の横方向の寸法）は等しくなっているが、各放熱フィン構成部５７の高さ（図１２の上下方向の寸法）Ｈは異なっている。具体例を掲げて説明すると、各放熱フィン構成部５７は、リヤシールド１１の最も外側に位置している放熱フィン構成部５７Ａの高さＨの値が最も大きく、リヤシールド１１の内側に位置するものほど、高さＨの値が次第に小さくなっている。
【００６０】
なお、図１２では、リヤシールド１１の最も外側に位置している放熱フィン構成部５７Ａの高さＨの値が最も大きくなっているが、光源ユニット１５の最も近傍に位置している放熱フィン構成部５７Ｃの高さＨの値を最も大きくし、放熱フィン構成部５７Ｃから離れるにしたがって、放熱フィン構成部５７の高さの値が次第に小さくなるようにしてもよい。
【００６１】
図１３で示す放熱フィン５５も、断面形状が長方形状である複数の放熱フィン構成部（凸部）５９で構成されており、各放熱フィン構成部５９（５９Ａ〜５９Ｇ）は、枠体３９の後面から後側に突出している。
【００６２】
各放熱フィン構成部５９の断面形状は等しくなっている。一方、各放熱フィン構成部５９は、図１３の横方向でピッチＰを変えてお互いが離れて設けられている。たとえば、リヤシールド１１の最も外側に位置している放熱フィン構成部５９のピッチ（放熱フィン構成部５９Ａと放熱フィン構成部５９Ｂとのピッチ）Ｐが最も小さく、リヤシールド１１の内側に位置するものほど、ピッチＰが次第に大きくなっている。
【００６３】
なお、図１３では、リヤシールド１１の最も外側に位置している放熱フィン構成部５９のピッチＰの値が最も小さくなっているが、図１２の場合と同様にして、光源ユニット１５の最も近傍に位置している放熱フィン構成部５９ＣまわりのピッチＰの値を最も小さくし、放熱フィン構成部５９Ｃから離れるにしたがって、放熱フィン構成部５９のピッチＰが次第に大きくなるようにしてもよい。
【００６４】
さらに、図１２に示す態様と図１３に示す態様とを併せた態様にしてもよい。すなわち、図１２において、各放熱フィン構成部５７のピッチＰを一定にすることなく、適宜変更してもよい。
【００６５】
ここで、照明装置３についてさらに詳しく説明する。
【００６６】
リヤシールド側反射シート３１は、前述したようにまた図１〜図４等で示すように、リヤシールド１１の底板部１９の前側で底板部１９の前面全体を覆っている。また、導光板９が設置されることによって、導光板９とリヤシールド側部２１との間には、前述したように、「ロ」字状の間隙（リヤシールド側部・導光板間の間隙）２３が形成されている。
【００６７】
パネルシャーシ１７は、前述したように、たとえば４本のパネルシャーシ本体部２９とパネルシャーシ本体部２９に形成されている凹部３３とパネルシャーシ本体部２９に一体的に設けられたパネルシャーシ側反射シート３５とを備えて構成されている。
【００６８】
パネルシャーシ本体部２９は、この断面（長手方向に対して直交する平面による断面）が細長い矩形状に形成されている。ここで、矩形断面の長い辺の延伸方向をパネルシャーシ本体部２９の幅方向とし、矩形断面の短い辺の延伸方向をパネルシャーシ本体部２９の厚さ方向とする。
【００６９】
４本のパネルシャーシ本体部２９は、これらの長手方向の端部で適宜接続されて一体化し、「ロ」字状に形成されている。
【００７０】
パネルシャーシ１７がリヤシールド１１に一体的に設けられた状態では、パネルシャーシ本体部２９の厚さ方向が画像表示装置１の前後方向と一致している。また、パネルシャーシ１７がリヤシールド１１に一体的に設けられた状態では、パネルシャーシ本体部２９の長手方向が画像表示装置１の横方向と一致しパネルシャーシ本体部２９の幅方向が画像表示装置１の縦方向と一致しているか、または、パネルシャーシ本体部２９の長手方向が画像表示装置１の縦方向と一致しパネルシャーシ本体部２９の幅方向が画像表示装置１の横方向と一致している。
【００７１】
パネルシャーシ１７がリヤシールド１１に一体的に設けられた状態を前後方向で前から見ると、図２等で示すように、パネルシャーシ１７は、リヤシールド１１の側部２１と、リヤシールド側部・導光板間の間隙２３と、導光板９の外周部（導光板９の外周から所定の距離だけ内側に位置している部位までの「ロ」の部位）とを覆っている。
【００７２】
すなわち、図２や図４等で示すように、パネルシャーシ１７（パネルシャーシ本体部２９）の基端部側部位が、リヤシールド側部２１の前側でリヤシールドの側部２１を覆っており、パネルシャーシ１７（パネルシャーシ本体部２９）の中間部位が、リヤシールド側部・導光板間の間隙２３の前側でリヤシールド側部・導光板間の間隙２３を覆っており、パネルシャーシ１７（パネルシャーシ本体部２９）の先端部側部位が、導光板９の前側で導光板９の「ロ」字状の周辺部を覆っている。
【００７３】
そして、リヤシールド側部・導光板間の間隙２３がほぼ閉じた空間６１になっており、この空間６１内に光源ユニット１５が存在している。
【００７４】
光源ユニット１５は、リヤシールド１１の側部２１でリヤシールド１１に一体的に設けられている。したがって、光源ユニット１５と導光板９とは所定の僅かな距離だけ離れている。
【００７５】
さらに説明すると、図４等で示すように、光源ユニット１５は、実装基板６３とこの実装基板６３に設けられている発光部（ＬＥＤ素子）６５とを備えて構成されている。実装基板６３は、この断面（長手方向に対して直交する平面による断面）が細長い矩形状に形成されている。ここで、矩形断面の長い辺の延伸方向を実装基板６３の幅方向とし、矩形断面の短い辺の延伸方向を実装基板６３の厚さ方向とする。
【００７６】
実装基板６３の厚さ方向の一方の面であって実装基板６３の幅方向の中間部には、点光源状のＬＥＤ素子６５が設けられている。ＬＥＤ素子６５は、図３や図５や図６等で示すように、実装基板６３の長手方向で所定の間隔をあけて複数設けられている。
【００７７】
また、図４等で示すように、実装基板６３の厚さ方向の一方面のうちの、ＬＥＤ素子６５が設けられていない部位には、ＬＥＤ素子６５が発した光を反射するための高反射率の反射膜６７が設けられている。
【００７８】
実装基板６３は、この厚さ方向の他方の面が、リヤシールド１１の側部２１の内面と対向するようにして、サーマルインタフェースシート３７を間にし、リヤシールド１１の側部２１に一体的に設けられている。これにより、ＬＥＤ素子６５が、導光板９の側面から僅かに離れて導光板９の側面と対向しており、また、ＬＥＤ素子６５の発光によってＬＥＤ素子６５が発する熱が、実装基板６３とサーマルインタフェースシート３７とリヤシールド１１の側部２１を伝導して、リヤシールド１１の側部２１や底板部１９から大気に逃げるようになっている。
【００７９】
なお、図４等では、光源ユニット１５を構成している実装基板６３の後端部（後端面）６９が、リヤシールド側反射シート３１を介してリヤシールド１１の底板部１９につながっているが、リヤシールド側反射シート３１の代わりにサーマルインタフェースシートを介して、実装基板６３の後端部６９がリヤシールド１１の底板部１９につながっていてもよいし、実装基板６３の後端部６９が、リヤシールド１１の底板部１９に直接接触してつながっていてもよい。
【００８０】
リヤシールド１１に一体的に設けられた実装基板６３は、この幅方向が画像表示装置１の前後方向と一致している。また、長手方向が画像表示装置１の縦方向と一致するようにリヤシールド１１に一体的に設けられた実装基板６３は、この厚さが画像表示装置１の横方向と一致している。また、長手方向が画像表示装置１の横方向と一致するようにリヤシールド１１に一体的に設けられた実装基板６３は、この厚さが画像表示装置１の縦方向と一致している。
【００８１】
そして、図２等で示すように、前後方向で前から見ると、実装基板６３は「ロ」字状に形成されており、リヤシールド１１の側部２１の内側に位置している。また、「ロ」字状に形成された実装基板６３の内周に、所定の間隔をあけてＬＥＤ素子６５が配置されている。
【００８２】
パネルシャーシ本体部２９に形成されている凹部３３は、図４や図５や図７等で示すように、矩形状（直方体状）に形成されており、パネルシャーシ本体部２９の長手方向で所定の間隔をあけて（ＬＥＤ素子６５のピッチと同じピッチで）パネルシャーシ本体部２９の後側の面に設けられている。
【００８３】
そして、リヤシールド１１に、光源ユニット１５とパネルシャーシ１７等を設置した状態を前後方向から見ると、図５や図７で示すように、パネルシャーシ本体部２９（パネルシャーシ１７）の凹部３３のほぼ中央部にＬＥＤ素子６５が位置している。
【００８４】
パネルシャーシ本体部２９の幅方向の中間部であって後側の面には、図９等で示すように、パネルシャーシ側反射シート３５を設置するための溝７１が形成されている。溝７１は、パネルシャーシ本体部２９の長手方向（図４の紙面に直交する方向）の全長にわたって設けられている。溝７１の深さ（図４の上下方向の寸法）は、パネルシャーシ側反射シート３５の厚さとほぼ等しくなっており、凹部３３の深さよりも浅くなっている。溝７１の幅（図４の左右方向の寸法）は、パネルシャーシ側反射シート３５の幅とほぼ等しくなっており、凹部３３の幅よりも大きくなっている。
【００８５】
パネルシャーシ本体部２９にパネルシャーシ側反射シート３５を設置した状態では、凹部３３がパネルシャーシ側反射シート３５で隠されてほぼ閉じた空間になるとともに、パネルシャーシ本体部２９の後側の面が平面状になる。
【００８６】
パネルシャーシ側反射シート３５の表面（パネルシャーシ本体部２９の後側の面と同一平面上に存在している面）は、高反射率の面になっており、ＬＥＤ素子６５が発した光を反射するようになっている。
【００８７】
そして、リヤシールド１１にリヤシールド側反射シート３１と導光板９と光源ユニット１５とパネルシャーシ１７等を設置し照明装置３が組立てられた状態では、図２や図４等で示すように、リヤシールド側部・導光板間の間隙２３がパネルシャーシ１７で塞がれてほぼ閉じた空間（リヤシールド側部・導光板間の「ロ」字状の閉空間）６１が形成される。
【００８８】
このリヤシールド側部・導光板間の閉空間６１の断面（長手方向に対して直交する平面による断面）は、図４等で示すように、矩形状になっている。この矩形状の断面の１つの辺は、導光板９の側面になっており、この導光板９の側面に対向している１つの辺は、光源ユニット１５の実装基板６３の面（反射膜６７の反射面）になっている。また、矩形状の断面の別の１つの辺（導光板９の側面に直交している辺）は、リヤシールド側反射シート３１の反射面になっており、このリヤシールド側反射シート３１の反射面に対向している１つの辺は、パネルシャーシ側反射シート３５の反射面になっている。これにより、ＬＥＤ素子６５が発した光のほぼ総てが、導光板９の側面に無駄のほとんど無い状態で入射するようになっている。
【００８９】
照明装置３の前後方向であってＬＥＤ素子６５の前側では、図４等で示すように、ＬＥＤ素子６５、リヤシールド側部・導光板間の閉空間６１、パネルシャーシ側反射シート３５、パネルシャーシ本体部２９の凹部３３、パネルシャーシ本体部２９の肉部が、この順に並んでいる。
【００９０】
一方、照明装置３の前後方向であってＬＥＤ素子６５の後側では、ＬＥＤ素子６５、リヤシールド側部・導光板間の閉空間６１、リヤシールド側反射シート３１、リヤシールド１１の枠体３９が、この順に並んでいる。
【００９１】
さらに、照明装置３の横（縦）方向であってＬＥＤ素子６５の外側では、ＬＥＤ素子６５、実装基板６３、サーマルインタフェースシート３７、リヤシールド１１の枠体３９が、この順に並んでおり、照明装置３の横（縦）方向であってＬＥＤ素子６５の内側では、ＬＥＤ素子６５、リヤシールド側部・導光板間の閉空間６１、導光板９がこの順に並んでいる。
【００９２】
そして、ＬＥＤ素子６５が発する熱（前側熱流）が、パネルシャーシ側反射シート３５、パネルシャーシ本体部２９の凹部３３、パネルシャーシ本体部２９の肉部に流れるようになっている。なお、この前側熱流の一部は、パネルシャーシ本体部２９を通って、リヤシールド１１の枠体３９に流れるようになっている。
【００９３】
また、ＬＥＤ素子６５が発する熱（後側熱流）が、リヤシールド側反射シート３１を通って、リヤシールド１１の枠体３９に流れるようになっている。ＬＥＤ素子６５が発する熱（外側熱流）が、実装基板６３、サーマルインタフェースシート３７を通って、リヤシールド１１の枠体３９に流れるようになっている。ＬＥＤ素子６５が発する熱（内側熱流）が、導光板９に流れるようになっている。
【００９４】
前側熱流、後側熱流、外側熱流、内側熱流のうちの外側熱流の熱量が最も多く、ついで後側熱流の熱量が多くなっており、ＬＥＤ素子６５が発する熱量のうちのほとんどの熱量が、外側熱流と後側熱流によって、リヤシールド１１の枠体３９に流れるようになっている。前側熱流は、パネルシャーシ本体部２９の凹部３３を通過しなければならないので、前側熱流の熱量は僅かなものになる。
【００９５】
さらに、上述したように、前側熱流の一部がパネルシャーシ本体部２９を通ってリヤシールド１１の枠体３９に流れるので、パネルシャーシ本体部２９の前面から前側に出て行く熱の熱量はさらに小さくなる。
【００９６】
導光板９に流れた熱のほとんどは、リヤシールド側反射シート３１を通って、リヤシールド１１の枠体３９に流れるようになっており、リヤシールド１１の枠体３９まで流れてきた熱は、大気に放出されるようになっている。
【００９７】
ところで、図９で示すパネルシャーシ１７では、凹部３３をパネルシャーシ本体部２９の長手方向で所定の間隔をあけて複数設けてあるが、図１０で示すように、溝７１と同様の凹部３３をパネルシャーシ本体部２９の長手方向に連続して設けてもよい。また、図１１で示すように、パネルシャーシ本体部２９の長手方向で所定の間隔をあけて複数設けてある凹部３３をお互いにつなぐための幅の狭い連結溝７３を設けてあってもよい。さらに、図９〜図１１で示す態様において、パネルシャーシ本体部２９に小さな内径の貫通孔（図示せず）を設け、パネルシャーシ側反射シート３５が設けられたパネルシャーシ１７等をリヤシールド１１に設置し照明装置３を組立てた状態で、各凹部３３が上記小径の貫通孔を通して大気に通じるようにしてもよい。
【００９８】
ここで、画像表示装置１についてさらに詳しく説明する。
【００９９】
画像表示装置１のＬＣＤパネル５は、前述したように、矩形な平板状に形成されており、横方向の寸法が、リヤシールド１１の底板部１９の横方向の寸法とほぼ等しいが僅かに大きくなっており、縦方向の寸法が、リヤシールド１１の底板部１９の縦方向の寸法とほぼ等しいが僅かに大きくなっている。
【０１００】
そして、図１や図４等で示すように、厚さ方向が画像表示装置１の前後方向と一致し、横方向が画像表示装置１（導光板９）の横方向と一致し、縦方向が画像表示装置１（導光板９）の縦方向と一致し、縦横方向の中心が導光板９の縦横方向の中心とが一致するようにして、ＬＣＤパネル５が導光板９やパネルシャシャーシ１７の前側に設置されている。
【０１０１】
ＬＣＤパネル５の設置によって、ＬＣＤパネル５と導光板９との間には、矩形な平板状の空間が形成されるが、この空間には、前述した図示しない光学シートが設けられている。ＬＣＤパネル５の設置は、前述したようにフロントベゼル７を用いてなされるようになっている。
【０１０２】
ＬＣＤパネル５には、図４等で示すように、前述した画像表示部位１３と周辺部位７５とが存在している。前後方向で前から見ると、ＬＣＤパネル５の画像表示部位１３は矩形状に形成されており、周辺部位７５は「ロ」字状に形成されて画像表示部位１３を囲んでいる。画像表示部位１３と周辺部位７５との境界は、矩形な有効画素境界７７になっている。
【０１０３】
また、縦方向もしくは横方向において、図４で示すように、有効画素境界７７から光源ユニット１５のＬＥＤ素子６５（たとえば、ＬＥＤ素子６５の中心）までの距離Ｌと、有効画素境界７７からＬＣＤパネル５の端部までの距離Ｘとを比較すると、ＬＥＤ素子６５までの距離Ｌのほうが、ＬＣＤパネル５端部までの距離Ｘよりも小さくなっている。これにより、画像表示装置１を狭額縁化（有効画素境界７７から画像表示装置１の端部までの距離Ｙを従来よりも小さく）することができる。
【０１０４】
そして、ＬＣＤパネル５が設置された状態を、前後方向で前から見ると、導光板９とパネルシャーシ１７の一部（パネルシャーシ本体部２９の幅方向における中間部と先端部側部位）とが、ＬＣＤパネル５で覆われている。
【０１０５】
フロントベゼル７は、たとえば、平板状の金属等の素材を板金加工することで、矩形な枡状に形成されている。フロントベゼル７の底板の中央部には、矩形な開口部７９が形成されている。照明装置３に、上記光学シートをＬＣＤパネル５等とを設置した状態で、さらにフロントベゼル７等を設置することで、画像表示装置１が生成される。
【０１０６】
フロントベゼル７は、その側板部が、リヤシールド１１の枠体３９に係合してリヤシールド１１に一体的に設置されるようになっている。また、フロントベゼル７がリヤシールド１１に設置されたことで、上記光学シートやＬＣＤパネル５がリヤシールド１１に一体的に設置されるようになっている。
【０１０７】
画像表示装置１を、図２等で示すように、前後方向で前から見ると、「ロ」字状に形成されたフロントベゼル７の側板部が、リヤシールド１１を囲んでおり、「ロ」字状に形成されたフロントベゼル７の底板部が、パネルシャーシ１７とＬＣＤパネル５の外周部とを覆っており、フロントベゼル７の開口部７９の内側に、ＬＣＤパネル５の画像表示部位１３が存在している。
【０１０８】
ここで、画像表示装置１の動作を説明する。
【０１０９】
画像表示装置１が停止している状態で、図示しない画像表示装置１の電源をオンすると、ＬＥＤ素子６５が発光しＬＣＤパネル５が画像の表示を開始する。ＬＥＤ素子６５が発した光が、導光板９の側部に照射される。導光板９の側部の入光端面から入った光は、導光板９の内部を全反射しながら、導光板９の中央部へ向かって進んでいく。この光は、導光板９の後側（背面側）に形成された反射ドットに当たって散乱し、進行方向が変わる。散乱した光のうち、進行方向が前側（画面側）の光は導光板９の前面に出射され、進行方向が後側（背面側）の光はリヤシールド側反射シート３１で光を前側に反射した後、導光板９の前面に出射される。反射ドットは、導光板９の表面に光反射率の高い材料を使った白色インクを印刷するものや、微小賦形ドットを形成するものがある。この反射ドットを、導光板９の入光端面では小さくして出射光を少なくし、導光板９の中央部では大きくして出射光を多くするようにパターン配置をすることで、ＬＥＤ光源から入光される光束分布を補正し、照射面へ出射される光の均一化がなされる。
【０１１０】
また、ＬＥＤ素子６５が発する熱のほとんどが、実装基板６３とサーマルインタフェースシート３７とを通って枠体３９に流れ、この枠体３９に流れて、大気に放出される。
【０１１１】
画像表示装置１によれば、ＬＣＤパネル５の直下にＬＥＤ素子６５を位置させて狭額縁化をしても、パネルシャーシ本体部２９に凹部３３が設けられておりこの凹部３３がパネルシャーシ側反射シート３５で覆われているので、パネルシャーシ１７の熱抵抗が大きくなっており、ＬＣＤパネル５が液状化することを防止することができ、ＬＣＤパネル５の画面が劣化することを防止することができる。
【０１１２】
すなわち、光源ユニット１５のＬＥＤ素子６５までの距離Ｌが短くなるようにＬＥＤ光源を画面中央部寄りに配置し、ＬＣＤパネル５の端部までの距離Ｘよりも、距離Lの方が短くなる様な狭額縁化をしても、ＬＥＤ素子６５が発した熱が、パネルシャーシ本体部２９の凹部（パネルシャーシ側反射シート３５で塞がれてほぼ閉空間になり熱伝導率の悪い空気で満たされている凹部）３３で遮断され、ＬＣＤパネル５まで僅かに届くだけである。したがって、ＬＥＤ素子６５を挟んで、前後方向の熱抵抗が違っていることになり（より精確には、前方向の熱抵抗に対して横方向や縦方向の熱抵抗が十分に小さくなっており）、ＬＥＤ素子６５の発した熱のほとんどがリヤシールド１１を通って大気に放たれ、ＬＣＤパネル５が高温に曝されることが無くなり、ＬＣＤパネル５の液晶セルが液状化することが防止され、画像表示装置１を高輝度化してもＬＣＤパネル５の画面の劣化が防止される。
【０１１３】
ここで、ＬＥＤ素子６５が発した熱の流れに対する熱抵抗について、簡略した計算結果を掲げる。
【０１１４】
まず、パネルシャーシ本体部２９に凹部３３が設けられていない場合におけるパネルシャーシでの熱抵抗Ｒｔｈ２を、図４を参照しつつ求める。
【０１１５】
凹部３３無しの熱抵抗Ｒｔｈ２は、「Ｒｔｈ２＝Ｒｔｈ２１＋Ｒｔｈ２２」（式ｆ１）で求めることができる。「Ｒｔｈ２１」は、パネルシャーシ側反射シート３５における熱抵抗であり、「Ｒｔｈ２２」は、パネルシャーシ本体部２９における熱抵抗である。
【０１１６】
パネルシャーシ側反射シート３５の熱抵抗Ｒｔｈ２１は、「Ｒｔｈ２１＝（１／λ２１）×（ｔ２１／Ａ）」（式２）で求めることができる。パネルシャーシ本体部２９の熱抵抗Ｒｔｈ２２は、「Ｒｔｈ２２＝（１／λ２２）×（ｔ２２／Ａ）」（式３）で求めることができる。
【０１１７】
「λ２１」は、パネルシャーシ側反射シート３５の熱伝導率であり、１（Ｗ／ｍ２・Ｋ）程度である。「λ２２」は、パネルシャーシ本体部２９の熱伝導率であり、０．２（Ｗ／ｍ２・Ｋ）程度である。「ｔ２１」は、パネルシャーシ側反射シート３５の厚さであり、０．３×１０−３ｍである。「ｔ２２」は、パネルシャーシ本体部２９の厚さであり、０．９×１０−３ｍである。「Ａ」は、ＬＥＤ素子６５の矩形状の面積（図４における寸法ａと図４の紙面に直交する方向におけるＬＥＤ素子６５の寸法との積）であり、２×３×１０−６ｍである。
【０１１８】
上述した各数値を、式ｆ１に代入して計算すると、「Ｒｔｈ２＝（１／λ２１）×（ｔ２１／Ａ）+（１／λ２２）×（ｔ２２／Ａ）＝（１／１）×{（０．３×１０−３）／（２×３×１０−６）}+（１／０．２）×{（０．９×１０−３）／（２×３×１０−６）}＝８００」になる。
【０１１９】
したがって、凹部３３無しのパネルシャーシにおける熱抵抗Ｒｔｈ２は、８００（Ｋ／Ｗ）になる。
【０１２０】
次に、パネルシャーシ本体部２９に凹部３３が設けられている場合におけるパネルシャーシ１７での熱抵抗Ｒｔｈ１を、図４を参照しつつ求める。
【０１２１】
凹部３３が設けられている場合の熱抵抗Ｒｔｈ１は、「Ｒｔｈ１＝Ｒｔｈ１１＋Ｒｔｈ１２+Ｒｔｈ１３」（式ｆ４）で求めることができる。「Ｒｔｈ１１」は、パネルシャーシ側反射シート３５における熱抵抗であり、「Ｒｔｈ１２」は、パネルシャーシ本体部２９における熱抵抗であり、「Ｒｔｈ１３」は、凹部３３における熱抵抗である。
【０１２２】
パネルシャーシ側反射シート３５の熱抵抗Ｒｔｈ１１は、「Ｒｔｈ１１＝（１／λ１１）×（ｔ１１／Ａ）」（式５）で求めることができる。パネルシャーシ本体部２９の熱抵抗Ｒｔｈ１２は、「Ｒｔｈ１２＝（１／λ１２）×（ｔ１２／Ａ）」（式６）で求めることができる。凹部の熱抵抗Ｒｔｈ１３は、「Ｒｔｈ１３＝（１／λ１３）×（ｔ１３／Ａ）」（式７）で求めることができる。
【０１２３】
「λ１１」は、パネルシャーシ側反射シート３５の熱伝導率であり、「λ２１」と同じ値である。「λ１２」は、パネルシャーシ本体部２９の熱伝導率であり、「λ２２」と同じ値である。「λ１３」は、凹部３３内の空気の熱伝導率であり、０．０２（Ｗ／ｍ２・Ｋ）程度である。「ｔ１１」は、パネルシャーシ側反射シート３５の厚さであり、「ｔ２１」と同じ値である。「ｔ１２」は、パネルシャーシ本体部２９の厚さであり、０．５×１０−３ｍである。「ｔ１３」は、凹部３３の深さであり、０．４×１０−３ｍである。「Ａ」については上述したとおりである。
【０１２４】
上述した各数値を、式ｆ４に代入して計算すると、「Ｒｔｈ１＝（１／λ１１）×（ｔ１１／Ａ）+（１／λ１２）×（ｔ１３／Ａ）+（１／λ１３）×（ｔ１３／Ａ）＝１／１×{（０．３×１０−３）／（２×３×１０−６）}+（１／０．２）×{（０．５×１０−３）／（２×３×１０−６）+（１／０．０２）×{（０．４×１０−３）／（２×３×１０−６）}＝３８００」になる。
【０１２５】
したがって、凹部３３有りのパネルシャーシ１７における熱抵抗Ｒｔｈ１は、３８００（Ｋ／Ｗ）になり、凹部３３無しの熱抵抗Ｒｔｈ２の値（８００（Ｋ／Ｗ））に比べて十分に大きくなる。
【０１２６】
ところで、画像表示装置１では、凹部３３を用いて、熱抵抗の値を大きくしているが、パネルシャーシ（パネルシャーシ本体部）の幅方向の少なくとも中間部位の一部に伝熱抑制部（たとえば断熱材）を設けてもよい。そして、光源ユニット１５が発する熱がパネルシャーシ１７を通ってパネルシャーシ１７の前側に出てくることを抑制するようにしてもよい。なお、伝熱抑制部は、パネルシャーシ本体部２９よりも、熱伝導率が小さくなっている。
【０１２７】
また、画像表示装置１によれば、光源ユニット１５がサーマルインタフェースシート３７を介してリヤシールド１１の側部２１に一体的に設けられており、しかも、リヤシールド側部２１とリヤシールド底板部１９の一部とが一体成型されているので、一層確実にＬＣＤパネル５の液晶セルの液状化を防止することができる。
【０１２８】
すなわち、従来のようにヒートシンクを別途設け、このヒートシンクを介して光源ユニットが発する熱をリヤシールドに逃がしている場合に比べて、リヤシールド１１側での熱抵抗が小さくなり、ＬＥＤ素子６５が発した熱が、従来よりも多くリヤシールド１１に流れるようになっている。たとえば、リヤシールド１１に流れる熱量に対して、パネルシャーシ１７を通ってＬＣＤパネル５側に流れる熱量が１／２０程度になる。これにより、ＬＣＤパネル５側に流れる熱量が少なくなり、ＬＣＤパネル５の高温化が阻止されるのである。
【０１２９】
また、画像表示装置１によれば、光源ユニット１５の近傍で放熱フィン５５がリヤシールド１１に設けられていることで、光源ユニット１５の熱が、リヤシールド１１を通って一層効率良く大気に逃げるようになる。そして、ＬＣＤパネル５が高温にさらされることが防止され、ＬＣＤパネル５の液状化が阻止される。
【０１３０】
なお、画像表示装置１（照明装置３）を、図１４や図１５で示すように、適宜変形してもよい。
【０１３１】
図１４に示す態様のものは、ヒートシンク８１を介して、光源ユニット１５を設けてある点が、図４等で示す態様の画像表示装置１と異なり、その他は、図４等で示す態様の画像表示装置１とほぼ同様に構成されている。
【０１３２】
すなわち、図１４に示す態様の画像表示装置１には、熱伝導率のよい金属等の材料で構成されているヒートシンク８１が設けられている。ヒートシンク８１は、サーマルインタフェースシート８３を介してリヤシールド１１に一体的に設けられており、光源ユニット１５の実装基板６３が、サーマルインタフェースシート３７を介してヒートシンク８１に一体的に設けられている。なお、ヒートシンク８１とサーマルインタフェースシート８３がリヤシールド側部２１を構成しているものと解することもできる。
【０１３３】
図１５に示す態様のものは、パネルシャーシ１７がサーマルインタフェースシート８５を介してリヤシールド側部２１に一体的に設けられている点が、図４等で示す態様の画像表示装置１と異なり、その他は、図４等で示す態様の画像表示装置１とほぼ同様に構成されている。
【０１３４】
また、上記説明では、光源ユニット１５（ＬＥＤ素子６５）が矩形状の導光板９の４つの辺（側面の全周）に光を照射する（投光する）構成になっており、照明装置３が縦方向と横方向とでほぼ対称に形成されているが、必ずしも導光板９の４つの辺に光を照射する必要は無く、導光板９の少なくとも１つの辺、もしくは、導光板９の側面の一部に、光を照射する構成になっていてもよい。
【符号の説明】
【０１３５】
１  画像表示装置
３  照明装置
５  ＬＣＤパネル
９  導光板
１１  リヤシールド
１５  光源ユニット
１７  パネルシャーシ
１９  底板部
２１  側部
３３  凹部
３５  パネルシャーシ側反射シート
５５  放熱フィン
【図１】
2012138291.tif 000003
【図２】
2012138291.tif 000004
【図３】
2012138291.tif 000005
【図４】
2012138291.tif 000006
【図５】
2012138291.tif 000007
【図６】
2012138291.tif 000008
【図７】
2012138291.tif 000009
【図８】
2012138291.tif 000010
【図９】
2012138291.tif 000011
【図１０】
2012138291.tif 000012
【図１１】
2012138291.tif 000013
【図１２】
2012138291.tif 000014
【図１３】
2012138291.tif 000015
【図１４】
2012138291.tif 000016
【図１５】
2012138291.tif 000017
【図１６】
2012138291.tif 000018
【図１７】
2012138291.tif 000019